(57)【要約】【課題】吹出口から上向きと下向きの両方の向きに空気を送出することが可能であり、かつ、開閉部材に断熱材を貼る必要がない空気調和機を提供する。【解決手段】空気調和機１の開閉パネル１１０は、ファン１３０によってキャビネット１００から送出される空気を吹き出すための吹出口１２０を開放または閉塞する。上軸１１６は吹出口１２０の上部において、下軸１１８は吹出口１２０の下部において、中軸１１７は上軸１１６と下軸１１８との間において、開閉パネル１１０をキャビネット１００に支持する。上モータ１８１は上軸１１６を移動させる。下モータ１９１は中軸１１７を移動させるとともに、上軸１１６を中心に、または、下軸１１８を中心にして開閉パネル１１０を回動させる。回動させられた開閉パネル１１０は、吹出口１２０の上端１２１と下端１２２とから離隔して吹出口１２０に支持される。【選択図】図２
2011047579.tif 000002
【特許請求の範囲】
【請求項１】
ファンと、
前記ファンを収容する筐体と、
前記ファンによって前記筐体から送出される空気を吹き出すための吹出口を開放または閉塞する板状の開閉部材と、
前記開閉部材を前記吹出口の上部において前記筐体に支持する第１の可動軸と、
前記開閉部材を前記吹出口の下部において前記筐体に支持する固定軸と、
前記開閉部材を前記第１の可動軸と前記固定軸との間において前記筐体に支持する第２の可動軸と、
前記第１の可動軸を移動させる第１の駆動部と、
前記第２の可動軸を移動させるとともに、前記第１の可動軸を中心に、または、前記固定軸を中心にして前記開閉部材を回動させる第２の駆動部とを備え、
第１の可動軸を中心に、または、前記固定軸を中心にして回動させられた前記開閉部材は、前記吹出口の上端と下端とから離隔して前記吹出口に支持される、空気調和機。
【請求項２】
当該空気調和機が暖房運転を行なう場合に、
第１の駆動部が前記第１の可動軸を移動させることによって前記固定軸を前記筐体から外し、前記第２の駆動部が前記第２の可動軸を移動させるとともに前記開閉部材を前記第１の可動軸を中心にして回動させるように構成されている、請求項１に記載の空気調和機。
【請求項３】
当該空気調和機が冷房運転を行なう場合に、
第２の駆動部が前記第２の可動軸を移動させることによって前記第１の可動軸を前記筐体から外し、前記第２の駆動部が前記第２の可動軸を移動させるとともに前記開閉部材を前記固定軸を中心にして回動させるように構成されている、請求項１に記載の空気調和機。
【請求項４】
前記固定軸を前記筐体に取り付けるための取付部材を備え、
前記取付部材はバネを含み、
前記バネは、前記筐体に取り付けられた前記固定軸を前記筐体の外側に向かって付勢する、請求項１から請求項３までのいずれか１項に記載の空気調和機。
【発明の詳細な説明】
【技術分野】
【０００１】
この発明は空気調和機に関する。
【背景技術】
【０００２】
従来、空気調和機には、吹出口から吹き出される空気の向きを変更する風向変更板を備えるものがある。
【０００３】
例えば、特許第３１９８９１１号公報（特許文献１）には、吹出口に備えられた水平案内羽根を駆動して、空調空気を前方へと吹出す水平吹きと下方吹きとを行い、また、水平案内羽根で吹出口を閉じる羽根駆動機構を備えた空気調和機が記載されている。この空気調和機では、水平案内羽根を支持する２つの可動軸を移動させることによって水平案内羽根が駆動される。
【０００４】
特開２００９−６３２５８号公報（特許文献２）と特開２００９−６３２５９号公報（特許文献３）と特開２００９−６３２６０号公報（特許文献４）と特開２００９−６３２６１号公報（特許文献５）には、導風パネルが上下の軸を中心にして上下両開き可能な空気調和機が記載されている。この空気調和機では、導風パネルが上開きあるいは下開きにおいて最大に開いたとき、導風パネルがキャビネットに接触するように、導風パネルの前後の端部を形成することにより、吹き出した風が漏れることを防ぐ。
【先行技術文献】
【特許文献】
【０００５】
【特許文献１】特許第３１９８９１１号公報
【特許文献２】特開２００９−６３２５８号公報
【特許文献３】特開２００９−６３２５９号公報
【特許文献４】特開２００９−６３２６０号公報
【特許文献５】特開２００９−６３２６１号公報
【発明の概要】
【発明が解決しようとする課題】
【０００６】
しかしながら特許第３１９８９１１号公報（特許文献１）に記載の空気調和機では、空調空気を前方へと吹出す水平吹きと下方吹きとを行うことはできるが、空調空気を上方向に吹き出すように水平案内羽根を駆動することはできない。空気調和機では、特に冷房運転を行う場合には、空調空気を水平吹きや下方吹きにすると、冷たい空気が空気調和対象室内の人に直接当たり、不快感を与えることがある。
【０００７】
一方、特開２００９−６３２５８号公報（特許文献２）と特開２００９−６３２５９号公報（特許文献３）と特開２００９−６３２６０号公報（特許文献４）と特開２００９−６３２６１号公報（特許文献５）に記載の空気調和機では、導風パネルに結露しないように、導風パネルの内側に断熱材を設ける必要がある。
【０００８】
そこで、この発明の目的は、吹出口から上向きと下向きの両方の向きに空気を送出することが可能であり、かつ、開閉部材に断熱材を貼る必要がない空気調和機を提供することである。
【課題を解決するための手段】
【０００９】
この発明に従った空気調和機は、ファンと、筐体と、板状の開閉部材と、第１の可動軸と、固定軸と、第２の可動軸と、第１の駆動部と、第２の駆動部とを備える。
【００１０】
筐体はファンを収容する。開閉部材は、ファンによって筐体から送出される空気を吹き出すための吹出口を開放または閉塞する。第１の可動軸は、開閉部材を吹出口の上部において筐体に支持する。固定軸は、開閉部材を吹出口の下部において筐体に支持する。第２の可動軸は、開閉部材を第１の可動軸と固定軸との間において筐体に支持する。第１の駆動部は、第１の可動軸を移動させる。第２の駆動部は、第２の可動軸を移動させるとともに、第１の可動軸を中心に、または、固定軸を中心にして開閉部材を回動させる。
【００１１】
第１の可動軸を中心に、または、固定軸を中心にして回動させられた開閉部材は、吹出口の上端と下端とから離隔して吹出口に支持される。
【００１２】
このように構成された空気調和機では、第１の可動軸を中心にして開閉部材が回動させられると、開閉部材は、吹出口の上端と下端とから離隔して吹出口に支持される。第１の可動軸は固定軸よりも上方に配置されているので、開閉部材は比較的上部を中心に回動されて、吹出口に支持される。このようにして吹出口に支持された開閉部材と吹出口の下端との間には、開閉部材と吹出口の上端との間よりも大きな間隔があけられる。
【００１３】
開閉部材と吹出口の下端との間には、開閉部材と吹出口の上端との間よりも大きな間隔があけられているので、ファンが駆動されると、ファンによって送出される空気は、全体的に下向きに送出される。また、ファンによって送出される空気は、吹出口の上端と開閉部材の上端との間と、吹出口の下端と開閉部材の下端との間との両方を通って、筐体から送出される。すなわち、ファンによって送出される空気は、板状の開閉部材の両表面に沿って流れて、筐体から送出される。
【００１４】
一方、固定軸を中心にして開閉部材が回動させられると、開閉部材は、吹出口の上端と下端とから離隔して吹出口に支持される。固定軸は第１の可動軸よりも下方に配置されているので、開閉部材は比較的下部を中心に回動されて、吹出口に支持される。このようにして吹出口に支持された開閉部材と吹出口の上端との間には、開閉部材と吹出口の下端との間よりも大きな間隔があけられる。
【００１５】
開閉部材と吹出口の上端との間には、開閉部材と吹出口の下端との間よりも大きな間隔があけられているので、ファンが駆動されると、ファンによって送出される空気は、全体的に上向きに送出される。また、ファンによって送出される空気は、吹出口の上端と開閉部材の上端との間と、吹出口の下端と開閉部材の下端との間との両方を通って、筐体から送出される。すなわち、ファンによって送出される空気は、板状の開閉部材の両表面に沿って流れて、筐体から送出される。
【００１６】
このように、ファンによって送出される空気が開閉部材の両表面に沿って流れるので、開閉部材の両表面の温度がほぼ同じ温度にされる。したがって、ファンによって送出される空気と、空気調和対象室内の空気との間に温度差がある場合にも、開閉部材の両表面の間に温度差が生じにくく、開閉部材に結露しにくい。開閉部材に結露しにくいので、開閉部材に断熱材を設ける必要がない。
【００１７】
このようにすることにより、吹出口から上向きと下向きの両方の向きに空気を送出することが可能であり、かつ、開閉部材に断熱材を貼る必要がない空気調和機を提供することができる。
【００１８】
この発明に従った空気調和機は、当該空気調和機が暖房運転を行なう場合に、第１の駆動部が第１の可動軸を移動させることによって固定軸を筐体から外し、第２の駆動部が第２の可動軸を移動させるとともに開閉部材を第１の可動軸を中心にして回動させるように構成されていることが好ましい。
【００１９】
このようにすることにより、開閉部材を、第１の可動軸を中心にして回動し、吹出口の上端と下端とから離隔して吹出口に支持しやすくなる。また、このようにすることにより、ファンによって送出される空気を下向きにしやすくなる。なお、暖房運転では、ファンによって送出される空気は、空気調和対象室内の空気と比較して温度が高く、空気調和対象室内の上部に滞留しやすい。そこで、ファンによって送出される空気を下向きにすることによって、暖かい空気が空気調和対象室内の下部に流れやすくすることができる。
【００２０】
この発明に従った空気調和機は、当該空気調和機が冷房運転を行なう場合に、第２の駆動部が第２の可動軸を移動させることによって第１の可動軸を筐体から外し、第２の駆動部が第２の可動軸を移動させるとともに開閉部材を固定軸を中心にして回動させるように構成されていることが好ましい。
【００２１】
このようにすることにより、開閉部材を、固定軸を中心にして回動し、吹出口の上端と下端とから離隔して吹出口に支持しやすくなる。また、このようにすることにより、ファンによって送出される空気を上向きにしやすくなる。なお、冷房運転では、ファンによって送出される空気は、空気調和対象室内の空気と比較して温度が低く、空気調和対象室内の下部に滞留しやすい。そこで、ファンによって送出される空気を上向きにすることによって、冷たい空気が空気調和対象室内の下部に流れて、直接、空気調和対象室内の人に当たって不快感を与えることを防ぐことができる。
【００２２】
この発明に従った空気調和機は、固定軸を筐体に取り付けるための取付部材を備えることが好ましい。取付部材はバネを含み、バネは、筐体に取り付けられた固定軸を筐体の外側に向かって付勢することが好ましい。
【００２３】
このようにすることにより、開閉部材の固定軸を空気調和機の筐体から取り外すことが容易になる。
【発明の効果】
【００２４】
以上のように、この発明によれば、吹出口から上向きと下向きの両方の向きに空気を送出することが可能であり、かつ、開閉部材に断熱材を貼る必要がない空気調和機を提供することができる。
【図面の簡単な説明】
【００２５】
【図１】本発明の一つの実施の形態に係る空気調和機の運転が停止されているときの外観を示す斜視図である。
【図２】本発明の一つの実施の形態に係る空気調和機の運転が停止されているときの内部の機構を模式的に示す図である。
【図３】図２に示す空気調和機から駆動部を取り除いたときの状態を示す図である。
【図４】本発明の一つの実施の形態に係る空気調和機が暖房準備状態にあるときの外観を示す斜視図である。
【図５】本発明の一つの実施の形態に係る空気調和機が暖房準備状態にあるときの内部の機構を模式的に示す図である。
【図６】図５に示す空気調和機から駆動部を取り除いたときの状態を示す図である。
【図７】本発明の一つの実施の形態に係る空気調和機が暖房運転されているときの外観を示す斜視図である。
【図８】本発明の一つの実施の形態に係る空気調和機が暖房運転されているときの内部の機構を模式的に示すである。
【図９】図８に示す空気調和機から駆動部を取り除いたときの状態を示す図である。
【図１０】本発明の一つの実施の形態に係る空気調和機が冷房運転されているときの外観を示す斜視図である。
【図１１】本発明の一つの実施の形態に係る空気調和機が冷房運転されているときの内部の機構を模式的に示す図である。
【図１２】図１１に示す空気調和機から駆動部を取り除いたときの状態を示す図である。
【発明を実施するための形態】
【００２６】
以下、この発明の実施の形態を図面に基づいて説明する。
【００２７】
図１に示すように、この発明の一つの実施の形態の空気調和機１は、筐体としてキャビネット１００と、キャビネット１００の下部に取り付けられる開閉部材として湾曲した板状の開閉パネル１１０とによって全体が覆われている。開閉パネル１１０は、キャビネット１００の吹出口上壁部１０１と吹出口下壁部１０２との間に配置されている。空気調和機１においては、開閉パネル１１０が取り付けられている側を正面側とする。
【００２８】
図２と図３に示すように、キャビネット１００の内部には、ファン１３０と、ファン１３０の上方においてファン１３０とキャビネット１００の内壁面との間に配置される熱交換器１４０とが収容されている。熱交換器１４０の下端は、吹出口上壁部１０１の上に配置されたドレンパン１０３と、キャビネット１００の背面側の内部に配置されたドレンパン１０４に受容されている。キャビネット１００の吹出口上壁部１０１と吹出口下壁部１０２との間には吹出口１２０が形成されている。吹出口１２０には開閉パネル１１０が配置されている。開閉パネル１１０は、表面１１１に凸面が形成され、裏面１１２に凹面が形成されるように湾曲している。開閉パネル１１０の上端１１４は吹出口１２０の上端１２１に対向し、開閉パネル１１０の下端１１５は吹出口１２０の下端１２２に対向している。
【００２９】
開閉パネル１１０の裏面１１２上には、複数のリブ１１３が形成されている。この実施の形態においては、リブ１１３は、開閉パネル１１０の左側の端部から少し中央寄りの位置に１本形成され、開閉パネル１１０の右側の端部から少し中央寄りの位置に１本形成されて、合計２本、形成されている。それぞれのリブ１１３は、開閉パネル１１０の上端１１４から下端１１５に向かう方向に沿って延びるように形成されている。リブ１１３の上部には、第１の可動軸として上軸１１６が形成されている。リブ１１３の下部には、固定軸として下軸１１８が形成されている。リブ１１３において上軸１１６と下軸１１８との間には、第２の可動軸として中軸１１７が形成されている。上軸１１６と中軸１１７と下軸１１８は、リブ１１３から突出するように形成された突起である。
【００３０】
上軸１１６には、Ｌ字形状の上軸取付部材１５１が係合されている。上軸取付部材１５１の一方の端部には上フック１５２が形成されており、この上フック１５２が上軸１１６に係合されている。上軸１１６と上フック１５２とは着脱可能に係合されている。上軸１１６は、開閉パネル１１０が、下軸１１８を中心にして回動されたときに上フック１５２から外れるように、上フック１５２に係合されている。上軸取付部材１５１において上フック１５２と反対側の端部には、上軸取付歯車１５３が固着されている。上軸取付部材１５１の下方においてキャビネット１００の内壁面上には、上軸受け１５４が設けられている。上軸受け１５４も上フック１５２と同様にフック形状に形成されている。
【００３１】
中軸１１７には、棒状の中軸取付部材１６１の一方の端部１６２が取り付けられている。中軸取付部材１６１は、中軸１１７を中心にして回動するように取り付けられている。中軸取付部材１６１の他方の端部１６３は、レール１６４にはめ込まれている。レール１６４は、キャビネット１００の側壁内面に、キャビネット１００の正面側から背面側に向かう方向にほぼ沿って形成されている。中軸取付部材１６１の端部１６３は、レール１６４に沿って移動することができる。中軸取付部材１６１の端部１６３はまた、中軸取付歯車１６５に取り付けられている。中軸取付部材１６１は、中軸取付歯車１６５を中心にして回動するように取り付けられている。
【００３２】
下軸１１８には、取付部材として下軸取付部材１７１の一方の端部１７１ａと下フック１７２とが係合されている。下フック１７２は下軸１１８の上部に係合している。下軸取付部材１７１の端部１７１ａは、下軸１１８を斜め下方向から支持するように下軸１１８に係合している。下軸取付部材１７１の端部１７１ａは、キャビネット１００に取り付けられたバネ１７３によってキャビネット１００の吹出口１２０から外側に向かって付勢されている。下軸１１８は、下軸取付部材１７１の端部１７１ａを介してバネ１７３によってキャビネット１００の吹出口１２０から外側に向かって付勢されている。下軸取付部材１７１の他方の端部と下フック１７２は、キャビネット１００の内側に固着されている。下軸１１８は、開閉パネル１１０の全体が下方向に移動されたときに下軸取付部材１７１の端部１７１ａと下フック１７２とから外れるように、下軸取付部材１７１の端部１７１ａと下フック１７２に係合されている。
【００３３】
キャビネット１００の側壁の内側には、第１の駆動部として上モータ１８１と、第２の駆動部として下モータ１９１とが取り付けられている。上モータ１８１には、上モータ歯車１８２が取り付けられている。下モータ１９１には、下モータ歯車１９２が取り付けられている。
【００３４】
上モータ１８１は、上モータ歯車１８２が、上軸取付部材１５１の上軸取付歯車１５３と噛み合うように配置されている。下モータ１９１は、下モータ歯車１９２が、中軸取付部材１６１の中軸取付歯車１６５と噛み合うように配置されている。
【００３５】
このように、空気調和機１の運転が停止されて開閉パネル１１０が吹出口１２０を閉じているときには、開閉パネル１１０は、上軸１１６と、中軸１１７と、下軸１１８の３軸によってキャビネット１００に支持される。
【００３６】
このように構成された空気調和機１の動作について説明する。
【００３７】
最初に、空気調和機１が暖房運転を行うときの動作について説明する。
【００３８】
図４から図６に示すように、暖房運転を行うときには、まず、空気調和機１の開閉パネル１１０が暖房準備状態にされる。
【００３９】
開閉パネル１１０が暖房準備状態にされるときには、上モータ１８１が駆動され、上モータ歯車１８２が所定の角度、図において時計回りに回転する。上モータ歯車１８２が時計回りに回転すると、上モータ歯車１８２と噛み合っている上軸取付歯車１５３が図において反時計回りに回転する。上軸取付歯車１５３が反時計回りに回転すると、上軸取付歯車１５３に固着されている上軸取付部材１５１が移動される。このとき、上軸取付部材１５１は、上フック１５２が下方向に移動するように移動される。上フック１５２が下方向に移動すると、上フック１５２に係合している上軸１１６も上フック１５２に係合したままで下方向に移動する。下方向に移動した上軸１１６は、上フック１５２の下方に取り付けられている上軸受け１５４に係合して、上軸受け１５４によって下方向から支持される。
【００４０】
上軸１１６は開閉パネル１１０のリブ１１３から突出しているので、上軸１１６が下方向に移動すると、開閉パネル１１０全体が下方向に移動する。開閉パネル１１０が下方向に移動すると、中軸１１７に取り付けられている中軸取付部材１６１の中軸１１７側の端部１６２が下方向に移動するが、下モータ１９１が駆動されていないので、中軸取付部材１６１の他方の端部１６３は移動しない。また、開閉パネル１１０が下方向に移動すると、下フック１７２と下軸取付部材１７１の端部１７１ａに係合している下軸１１８が、下フック１７２と下軸取付部材１７１の端部１７１ａから外れる。下軸取付部材１７１の端部１７１ａはバネ１７３によって吹出口１２０の外側に向かって付勢されており、下フック１７２は下軸１１８の上側から下軸１１８に係合しているので、下軸１１８は容易に下軸取付部材１７１の端部１７１ａと下フック１７２とから外れる。
【００４１】
下軸１１８が下フック１７２と下軸取付部材１７１の端部１７１ａから外れることによって、開閉パネル１１０は、上軸１１６と中軸１１７とによってキャビネット１００の吹出口１２０に支持される。
【００４２】
次に、図７から図９に示すように、下モータ１９１が駆動され、下モータ歯車１９２が所定の角度、図において時計回りに回転する。下モータ歯車１９２が時計回りに回転すると、下モータ歯車１９２と噛み合っている中軸取付歯車１６５が図において反時計回りに回転する。中軸取付歯車１６５が反時計回りに回転すると、中軸取付歯車１６５に取り付けられている中軸取付部材１６１の端部がレール１６４に沿って移動される。このとき、中軸取付部材１６１は、キャビネット１００の背面側から正面側に向かって移動される。中軸取付部材１６１がキャビネット１００の背面側から正面側に向かって移動されると、中軸取付部材１６１に取り付けられている中軸１１７も、キャビネット１００の背面側から正面側に向かって移動される。
【００４３】
中軸１１７がキャビネット１００の背面側から正面側に向かって移動されると、開閉パネル１１０もキャビネット１００の背面側から正面側に向かって移動する方向に、中軸１１７を中心に力を受ける。しかし、開閉パネル１１０は中軸１１７だけでなく、上軸１１６によってもキャビネット１００に支持されており、上軸１１６を移動させる上モータ１８１は駆動されないので、開閉パネル１１０全体がそのままキャビネット１００の背面側から正面側に向かって移動することはできない。そのため、開閉パネル１１０は、上軸１１６を中心にして、開閉パネル１１０の下端１１５が、キャビネット１００の背面側から正面側に押し出されるように、回動する。上軸１１６を中心にして、このように開閉パネル１１０が回動すると、開閉パネル１１０の上端１１４は、開閉パネル１１０の下端１１５と逆に、キャビネット１００の背面側に向かって移動する。開閉パネル１１０は、表面１１１を上に、裏面１１２を下に向けた状態にされる。
【００４４】
このようにして、吹出口１２０の上部において上軸１１６と中軸１１７とで開閉パネル１１０が支持されて、吹出口１２０が開放される。開閉パネル１１０は吹出口１２０の上部において支持されているので、開閉パネル１１０の下端１１５と吹出口１２０の下端１２２との間は、開閉パネル１１０の上端１１４と吹出口１２０の上端１２１との間よりも大きく開放されている。また、開閉パネル１１０の上端１１４は、吹出口１２０の上端１２１と離隔されている。
【００４５】
開閉パネル１１０がこのように吹出口１２０に支持された状態でファン１３０と熱交換器１４０とが駆動されると、ファン１３０によって送出される空気の大部分は、開閉パネル１１０の裏面１１２と吹出口１２０の下端１２２との間を通って、キャビネット１００の外に送出される。また、ファン１３０によって送出される空気の残りは、開閉パネル１１０の表面１１１と吹出口１２０の上端１２１との間を通って、キャビネット１００の外に排出される。
【００４６】
暖房運転では、空気調和対象室内の空気よりも暖かい空気がファン１３０によって送出される。開閉パネル１１０の表面１１１と裏面１１２の両面に沿って、ファン１３０によって送出される暖かい空気が流れるので、ファン１３０によって送出される空気と空気調和対象室内の空気との間に温度差があっても、開閉パネル１１０の表面１１１と裏面１１２との間には温度差が生じにくい。そのため、開閉パネル１１０に断熱材を設けなくても、開閉パネル１１０に結露が生じにくい。
【００４７】
このようにして、空気調和機１の暖房運転が行われる。
【００４８】
次に、空気調和機１の冷房運転について説明する。
【００４９】
図１０から図１２に示すように、冷房運転時には、上モータ１８１は駆動されず、下モータ１９１だけが駆動される。下モータ１９１が駆動されて、下モータ歯車１９２が図において時計回りに回転されると、下モータ歯車１９２と噛み合っている中軸取付歯車１６５が図において反時計回りに回転する。中軸取付歯車１６５が反時計回りに回転すると、中軸取付歯車１６５に取り付けられている中軸取付部材１６１の端部が、レール１６４にそって、キャビネット１００の背面側から正面側に向かって移動する。
【００５０】
中軸取付部材１６１の端部がレール１６４に沿ってキャビネット１００の背面側から正面側に向かって移動すると、中軸取付部材１６１の他方の端部に取り付けられている中軸１１７も、キャビネット１００の背面側から正面側に向かって移動される。中軸１１７が移動するときには、開閉パネル１１０にも、キャビネット１００の背面側から正面側に向かって押される力が加えられる。
【００５１】
開閉パネル１１０は中軸１１７だけでなく、下軸１１８によってもキャビネット１００に支持されている。そのため、上モータ１８１が駆動されないまま、このように開閉パネル１１０に力が加えられると、開閉パネル１１０は下軸１１８を中心にして、開閉パネル１１０の上端が、キャビネット１００の背面側から正面側に押し出されるように回動する。開閉パネル１１０がこのように回動すると、上モータ歯車１８２と上軸取付歯車１５３を介して上軸取付部材１５１に取り付けられている上軸１１６が、上軸取付部材１５１の上フック１５２から外れる。
【００５２】
上軸１１６が上フック１５２から外れることによって、開閉パネル１１０は、中軸１１７と下軸１１８とによってキャビネット１００の吹出口１２０に支持される。
【００５３】
次に、下モータ１９１がさらに駆動され、下モータ歯車１９２がさらに図において時計回りに回転する。下モータ歯車１９２がさらに時計回りに回転すると、下モータ歯車１９２と噛み合っている中軸取付歯車１６５もさらに反時計回りに回転し、中軸取付歯車１６５に取り付けられている中軸取付部材１６１の端部がレール１６４に沿って、さらにキャビネット１００の正面側に向かって移動される。中軸取付部材１６１がキャビネット１００の背面側から正面側に向かって移動されると、中軸取付部材１６１に取り付けられている中軸１１７も、キャビネット１００の背面側から正面側に向かって移動される。
【００５４】
中軸１１７がキャビネット１００の背面側から正面側に向かって移動されると、開閉パネル１１０もキャビネット１００の背面側から正面側に向かって移動する方向に、中軸１１７を中心に力を受ける。しかし、開閉パネル１１０は中軸１１７だけでなく、下軸１１８によってもキャビネット１００に支持されており、下軸１１８は下フック１７２によって筐体に固定されている。そのため、開閉パネル１１０は、下軸１１８を中心にして、開閉パネル１１０の上端が、キャビネット１００の背面側から正面側に押し出されるように、回動する。下軸１１８を中心にして、このように開閉パネル１１０が回動すると、開閉パネル１１０の下端は、開閉パネル１１０の上端と逆に、キャビネット１００の背面側に向かって回動される。開閉パネル１１０は、表面１１１を下に、裏面１１２を上に向けた状態にされる。
【００５５】
このようにして、吹出口１２０の下部において中軸１１７と下軸１１８とで開閉パネル１１０が支持されて、吹出口１２０が開放される。開閉パネル１１０は吹出口１２０の下部において支持されているので、開閉パネル１１０の上端１１４と吹出口１２０の上端１２１との間は、開閉パネル１１０の下端１１５と吹出口１２０の下端１２２との間よりも大きく開放されている。また、開閉パネル１１０の下端１１５は、吹出口１２０の下端１２２と離隔されている。
【００５６】
開閉パネル１１０がこのように吹出口１２０に支持された状態でファン１３０と熱交換器１４０とが駆動されると、ファン１３０によって送出される空気の大部分は、開閉パネル１１０の裏面１１２と吹出口１２０の上端１２１との間を通って、キャビネット１００の外に送出される。また、ファン１３０によって送出される空気の残りは、開閉パネル１１０の表面１１１と吹出口１２０の下端１２２との間を通って、キャビネット１００の外に排出される。
【００５７】
冷房運転では、空気調和対象室内の空気よりも冷たい空気がファン１３０によって送出される。開閉パネル１１０の表面１１１と裏面１１２の両面に沿って、ファン１３０によって送出される冷たい空気が流れるので、ファン１３０によって送出される空気と空気調和対象室内の空気との間に温度差があっても、開閉パネル１１０の表面１１１と裏面１１２との間には温度差が生じにくい。そのため、開閉パネル１１０に断熱材を設けなくても、開閉パネル１１０に結露が生じにくい。
【００５８】
また、湾曲した板状の開閉パネル１１０の裏面１１２が吹出口１２０の上端１２１の方向を向くようにして吹出口１２０が開放されているので、吹出口１２０から送出された冷たい空気は、天井に向かって流れる。天井に向かって流れた冷たい空気は、天井に沿って流れて、壁面に衝突し、壁面に沿って床面に向かって流れるので、空気調和対象室内の人に直接、冷たい風が当たることを防ぐことができる。
【００５９】
以上のように、空気調和機１は、ファン１３０と、キャビネット１００と、板状の開閉パネル１１０と、上軸１１６と、下軸１１８と、中軸１１７と、上モータ１８１と、下モータ１９１とを備える。
【００６０】
キャビネット１００はファン１３０を収容する。開閉パネル１１０は、ファン１３０によってキャビネット１００から送出される空気を吹き出すための吹出口１２０を開放または閉塞する。上軸１１６は、開閉パネル１１０を吹出口１２０の上部においてキャビネット１００に支持する。下軸１１８は、開閉パネル１１０を吹出口１２０の下部においてキャビネット１００に支持する。中軸１１７は、開閉パネル１１０を上軸１１６と下軸１１８との間においてキャビネット１００に支持する。上モータ１８１は、上軸１１６を移動させる。下モータ１９１は、中軸１１７を移動させるとともに、上軸１１６を中心に、または、下軸１１８を中心にして開閉パネル１１０を回動させる。
【００６１】
上軸１１６を中心に、または、下軸１１８を中心にして回動させられた開閉パネル１１０は、吹出口１２０の上端１２１と下端１２２とから離隔して吹出口１２０に支持される。
【００６２】
このように構成された空気調和機１では、上軸１１６を中心にして開閉パネル１１０が回動させられると、開閉パネル１１０は、吹出口１２０の上端１２１と下端１２２とから離隔して吹出口１２０に支持される。上軸１１６は下軸１１８よりも上方に配置されているので、開閉パネル１１０は比較的上部を中心に回動されて、吹出口１２０に支持される。このようにして吹出口１２０に支持された開閉パネル１１０と吹出口１２０の下端１２２との間には、開閉パネル１１０と吹出口１２０の上端１２１との間よりも大きな間隔があけられる。
【００６３】
開閉パネル１１０と吹出口１２０の下端１２２との間には、開閉パネル１１０と吹出口１２０の上端１２１との間よりも大きな間隔があけられているので、ファン１３０が駆動されると、ファン１３０によって送出される空気は、全体的に下向きに送出される。また、ファン１３０によって送出される空気は、吹出口１２０の上端１２１と開閉パネル１１０の上端１１４との間と、吹出口１２０の下端１２２と開閉パネル１１０の下端１１５との間との両方を通って、キャビネット１００から送出される。すなわち、ファン１３０によって送出される空気は、板状の開閉パネル１１０の両表面１１１に沿って流れて、キャビネット１００から送出される。
【００６４】
一方、下軸１１８を中心にして開閉パネル１１０が回動させられると、開閉パネル１１０は、吹出口１２０の上端１２１と下端１２２とから離隔して吹出口１２０に支持される。下軸１１８は上軸１１６よりも下方に配置されているので、開閉パネル１１０は比較的下部を中心に回動されて、吹出口１２０に支持される。このようにして吹出口１２０に支持された開閉パネル１１０と吹出口１２０の上端１２１との間には、開閉パネル１１０と吹出口１２０の下端１２２との間よりも大きな間隔があけられる。
【００６５】
開閉パネル１１０と吹出口１２０の上端１２１との間には、開閉パネル１１０と吹出口１２０の下端１２２との間よりも大きな間隔があけられているので、ファン１３０が駆動されると、ファン１３０によって送出される空気は、全体的に上向きに送出される。また、ファン１３０によって送出される空気は、吹出口１２０の上端１２１と開閉パネル１１０の上端１１４との間と、吹出口１２０の下端１２２と開閉パネル１１０の下端１１５との間との両方を通って、キャビネット１００から送出される。すなわち、ファン１３０によって送出される空気は、板状の開閉パネル１１０の表面１１１と裏面１１２の両表面に沿って流れて、キャビネット１００から送出される。
【００６６】
このように、ファン１３０によって送出される空気が開閉パネル１１０の両表面１１１に沿って流れるので、開閉パネル１１０の両表面１１１の温度がほぼ同じ温度にされる。したがって、ファン１３０によって送出される空気と、空気調和対象室内の空気との間に温度差がある場合にも、開閉パネル１１０の表面１１１と裏面１１２の両表面の間に温度差が生じにくく、開閉パネル１１０に結露しにくい。開閉パネル１１０に結露しにくいので、開閉パネル１１０に断熱材を設ける必要がない。
【００６７】
このようにすることにより、吹出口１２０から上向きと下向きの両方の向きに空気を送出することが可能であり、かつ、開閉パネル１１０に断熱材を貼る必要がない空気調和機１を提供することができる。
【００６８】
また、空気調和機１は、空気調和機１が暖房運転を行なう場合に、上モータ１８１が上軸１１６を移動させることによって下軸１１８をキャビネット１００から外し、下モータ１９１が中軸１１７を移動させるとともに開閉パネル１１０を上軸１１６を中心にして回動させるように構成されている。
【００６９】
このようにすることにより、開閉パネル１１０を、上軸１１６を中心にして回動し、吹出口１２０の上端１２１と下端１２２とから離隔して吹出口１２０に支持しやすくなる。また、このようにすることにより、ファン１３０によって送出される空気を下向きにしやすくなる。なお、暖房運転では、ファン１３０によって送出される空気は、空気調和対象室内の空気と比較して温度が高く、空気調和対象室内の上部に滞留しやすい。そこで、ファン１３０によって送出される空気を下向きにすることによって、暖かい空気が空気調和対象室内の下部に流れやすくすることができる。
【００７０】
また、空気調和機１は、空気調和機１が冷房運転を行なう場合に、下モータ１９１が中軸１１７を移動させることによって上軸１１６をキャビネット１００から外し、下モータ１９１が中軸１１７を移動させるとともに開閉パネル１１０を下軸１１８を中心にして回動させるように構成されている。
【００７１】
このようにすることにより、開閉パネル１１０を、下軸１１８を中心にして回動し、吹出口１２０の上端１２１と下端１２２とから離隔して吹出口１２０に支持しやすくなる。また、このようにすることにより、ファン１３０によって送出される空気を上向きにしやすくなる。なお、冷房運転では、ファン１３０によって送出される空気は、空気調和対象室内の空気と比較して温度が低く、空気調和対象室内の下部に滞留しやすい。そこで、ファン１３０によって送出される空気を上向きにすることによって、冷たい空気が空気調和対象室内の下部に流れて、直接、空気調和対象室内の人に当たって不快感を与えることを防ぐことができる。
【００７２】
また、空気調和機１は、下軸１１８をキャビネット１００に取り付けるための下軸取付部材１７１を備える。下軸取付部材１７１はバネ１７３を含み、バネ１７３は、キャビネット１００に取り付けられた下軸１１８をキャビネット１００の外側に向かって付勢する。
【００７３】
このようにすることにより、開閉パネル１１０の下軸１１８を空気調和機１のキャビネット１００から取り外すことが容易になる。
【００７４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７５】
１：空気調和機、１００：キャビネット、１１０：開閉パネル、１１６：上軸、１１７：中軸、１１８：下軸、１２０：吹出口、１２１：吹出口の上端、１２２：吹出口の下端、１３０：ファン、１７１：下軸取付部材、１７３：バネ、１８１：上モータ、１９１：下モータ。
【図１】
2011047579.tif 000003
【図２】
2011047579.tif 000004
【図３】
2011047579.tif 000005
【図４】
2011047579.tif 000006
【図５】
2011047579.tif 000007
【図６】
2011047579.tif 000008
【図７】
2011047579.tif 000009
【図８】
2011047579.tif 000010
【図９】
2011047579.tif 000011
【図１０】
2011047579.tif 000012
【図１１】
2011047579.tif 000013
【図１２】
2011047579.tif 000014